(57)【要約】【課題】時刻表示を見ることができ、コストが安い、メッセージ表示装置を提供する。【解決手段】マトリクス状に配列された複数の発光素子からなる表示体３，４，５を複数個有し、前記複数の発光素子のオンとオフによって所定の表示をする表示手段２と、メッセージ情報が入力される入力手段１４と、時刻情報を出力する時計手段１５と、制御手段２１とを備え、前記制御手段２１は同一の前記表示手段２に対し、前記メッセージ情報によるメッセージ表示および前記時刻情報によるアナログ時計表示を行わせる。【選択図】        図１
2005062110.tif 000002
【特許請求の範囲】
【請求項１】
マトリクス状に配列された複数の発光素子からなる表示体を複数個有し、前記複数の発光素子のオンとオフによって所定の表示をする表示手段と、メッセージ情報が入力される入力手段と、時刻情報を出力する時計手段と、制御手段とを備え、前記制御手段は同一の前記表示手段に対し、前記メッセージ情報によるメッセージ表示および前記時刻情報によるアナログ時計表示を行わせる事を特徴とする表示装置。
【請求項２】
前記入力部に対し入力信号を出力するリモコンを設け、前記リモコンに所定の入力が選択的に行われる事により、前記制御手段は前記表示手段に対し、前記メッセージ表示のみの表示、又は前記アナログ時計表示のみの表示、又は前記メッセージ表示と前記アナログ時計表示との交互表示を行わせる事を特徴とする請求項１の表示装置。
【請求項３】
前記交互表示は、前記メッセージ表示と、それに続く前記アナログ時計表示とのランニング表示にて構成された事を特徴とする請求項２の表示装置。
【請求項４】
前記表示体は直線上に、複数個が配置され、前記アナログ時計表示は、前記直線と直交する方向に沿ってスクロール表示する事により構成された事を特徴とする請求項１の表示装置。
【請求項５】
複数の前記表示体が列方向に配置された表示列群が構成され、前記表示手段は、複数の前記表示列群が行方向に配置されたものからなり、前記アナログ時計表示は、前記複数の表示列群において表示される事を特徴とする請求項１の表示装置。
【発明の詳細な説明】
【技術分野】
【０００１】
本発明は表示装置に関する。
【背景技術】
【０００２】
従来、この種の装置は、例えば特許文献１に示されている。この特許文献１の図２によると、マトリクス状に配列した複数の発光素子からなり、その発光素子のオンとオフによって所定の表示をする表示手段１が設けられている。この表示手段１は、メッセージ表示のみを行っている（図１を参照）。
【特許文献１】特開２００３−３６０４５号公報
【発明の開示】
【発明が解決しようとする課題】
【０００３】
この装置を例えば、広告用表示装置として用いる場合、観察者（例えば、歩道を歩いている人々など）は、上記装置の表示を見ることができる。しかし、観察者は、この表示装置にて、時刻等を見ることができない、第１の欠点がある。
【０００４】
この欠点を解消するために、本発明者は、この表示装置の隣に、デジタルの時刻表示させる表示部を設けた。しかし、全体の装置として、大型化しコストが高くなる、第２の欠点がある。またデジタル表示であるので、表現力が乏しく、観察者に対し、表現するアピール性が乏しい、第３の欠点がある。そこで、本発明者はこの様な従来の欠点を考慮し、時刻表示を見ることができ、コストが安い、表現力のある、メッセージ表示装置を提供する。
【課題を解決するための手段】
【０００５】
上記課題を解決するために、請求項１の本発明では、マトリクス状に配列された複数の発光素子からなる表示体を複数個有し、前記複数の発光素子のオンとオフによって所定の表示をする表示手段と、メッセージ情報が入力される入力手段と、時刻情報を出力する時計手段と、制御手段とを備え、前記制御手段は同一の前記表示手段に対し、前記メッセージ情報によるメッセージ表示および前記時刻情報によるアナログ時計表示を行わせる。
【０００６】
請求項２の本発明では、前記入力部に対し入力信号を出力するリモコンを設け、前記リモコンに所定の入力が選択的に行われる事により、前記制御手段は前記表示手段に対し、前記メッセージ表示のみの表示、又は前記アナログ時計表示のみの表示、又は前記メッセージ表示と前記アナログ時計表示との交互表示を行わせる。
【０００７】
請求項３の本発明では、前記交互表示は、前記メッセージ表示と、それに続く前記アナログ時計表示とのランニング表示にて構成された。
【０００８】
請求項４の本発明では、前記表示体は直線上に、複数個が配置され、前記アナログ時計表示は、前記直線と直交する方向に沿ってスクロール表示する事により構成された。
【０００９】
請求項５の本発明では、複数の前記表示体が列方向に配置された表示列群が構成され、前記表示手段は、複数の前記表示列群が行方向に配置されたものからなり、前記アナログ時計表示は、前記複数の表示列群において表示される。
【発明の効果】
【００１０】
請求項１の本発明では、マトリクス状に配列された複数の発光素子からなる表示体を複数個有し、前記複数の発光素子のオンとオフによって所定の表示をする表示手段と、メッセージ情報が入力される入力手段と、時刻情報を出力する時計手段と、制御手段とを備え、制御手段は同一の前記表示手段に対し、メッセージ情報によるメッセージ表示および時刻情報によるアナログ時計表示を行わせる。この様に、アナログ時計表示させるので、観察者にとって、利便性が向上すると共に、アナログ時計表示であるので、表現力が豊富である。更に、同一の表示手段において、メッセージ表示と、アナログ時計表示を行うので、装置が小型化し、コストが安くなる。
【００１１】
請求項２の本発明では、入力部に対し入力信号を出力するリモコンを設け、リモコンに所定の入力が選択的に行われる事により、制御手段は表示手段に対し、メッセージ表示のみの表示、又はアナログ時計表示のみの表示、又はメッセージ表示とアナログ時計表示との交互表示を行わせる。この構成の様に、上記選択的に入力する事により、メッセージ表示、又はアナログ時計表示、又は交互表示を選択できるので、ユーザの選択範囲が広くなる。
【００１２】
請求項３の本発明では、交互表示は、メッセージ表示と、それに続くアナログ時計表示とのランニング表示にて構成された。この様に、メッセージ表示と、それに続くアナログ時計表示をランニング表示させるので、観察者の視認性が向上する。
【００１３】
請求項４の本発明では、表示体は直線上に、複数個が配置され、アナログ時計表示は、直線と直交する方向に沿ってスクロール表示する事により構成された。上記構成により、表示体が１列に並んだ小型のものでも、スクロールする事により、アナログ時計表示の全体を見ることができる。
【００１４】
請求項５の本発明では、複数の表示体が列方向に配置された表示列群が構成され、表示手段は、複数の表示列群が行方向に配置されたものからなり、アナログ時計表示は、複数の表示列群において表示される。上記構成により、静止したアナログ時計表示の全体を見ることができる。
【発明を実施するための最良の形態】
【００１５】
以下に、図１ないし図４に従い、本発明を実施するための最良の形態１に係る表示装置１を説明する。図１は、この表示装置１のブロック図である。図２は、表示装置１を構成する表示手段２の平面図を示す。図３は、表示手段２における、メッセージ表示の１例を示す。図４は、この表示手段２における、アナログ時計表示の１例である。
【００１６】
これらの図において、表示体３を構成する回路基板上には、１６個の行電極と、１６個の列電極（いずれも図示せず）が、形成されている。各発光素子（例えば、赤色の発光ダイオードであるが、図示せず）のアノードは、Ｎ列目（Ｎ＝１〜１６）の列電極に接続されている。各発光素子のカソードはＭ行目（Ｍ＝１〜１６）の行電極に接続されている。この様にして、１６×１６＝２５６個の発光素子は、マトリクス状に配列されている。
【００１７】
１６個の行電極は例えば、１個の定電流ドライバ（ＩＣ等からなるが、図示せず）の各出力端子に接続されている。定電流ドライバの入力側には、クロック信号ＣＫと、ラッチ信号ＬＴと、データ信号ｄ等が入力される。
【００１８】
１６個の列電極は例えば、１個の点灯制御ドライバ（ＩＣ等からなるが、図示せず）の各出力端子に接続されている。点灯制御ドライバの入力側には、スキャン（走査）信号Ｓが入力される。この点灯制御ドライバは、１列目の列電極から１６列目の列電極までを、順次、走査する様に、構成されている。
【００１９】
定電流ドライバに、データ信号ｄ（シリアルデータ）が入力されると、定電流ドライバは、１行目の行電極から１６行目の行電極に対し、パラレルにデータを出力する。上記構成により、シリアルデータに従って、２５６個の発光素子はオンとオフすることにより、所定の表示を行う。上記定電流ドライバと、上記点灯制御ドライバとにより、ドライバＤ１は構成されている。
【００２０】
表示体４は表示体３と同一の構成であり、表示体３の左側に近接して配置されている。表示体５は表示体３と同一の構成であり、表示体４の左側に近接して配置されている。この様にして、表示体３，４，５は一直線状に配置されている。
【００２１】
ドライバＤ２，Ｄ３は共に、ドライバＤ１と同一の構成である。各ドライバＤ２，Ｄ３は、各表示体４，５を駆動する様に設けられている。複数の表示体３，４，５と、ドライバＤ１，Ｄ２，Ｄ３等により、表示手段２は構成されている。
【００２２】
ＩＣカード９は、パーソナルコンピュータ等によりコードデータ等が書き込まれたものである。カード制御回路１０は、入力されたコードデータを、Ｉ／Ｏポート１１に対し、入力するものである。
【００２３】
リモコン１２は例えば、テンキー等の入力部と、変換部と、発光部（共に図示せず）等からなる。リモコン１２は、使用者（ユーザ）により、入力部に所定の入力がなされるとその入力に従う入力信号を重畳した赤外線信号を出力するものである。
【００２４】
リモコン制御回路１３は例えば、受光部と、変換部と、増幅部と、フィルタなどからなる。受光部は、リモコン１２から放射された赤外線信号を受光電流に変換する。変換部は受光電流から、必要な信号を抽出する。上記信号は増幅部により増幅され、フィルタによりフィルタリングされ、入力信号として、Ｉ／Ｏポート１１に対し、与えられる。この様にして、リモコン１２は入力部１４に対し、入力信号を出力するものである。
【００２５】
これらのカード制御回路１０と、リモコン制御回路１３等により、入力手段１４が構成される。前述した様に、入力手段１４を構成するカード制御回路１０には、メッセージ情報が入力される。また、必要に応じて、リモコン１２を介して、入力手段１４を構成するリモコン制御回路１３に、メッセージ情報が入力されても良い。
【００２６】
時計手段１５は例えばＩＣ等からなる。時計手段１５は、表示装置１の内部に配置されている。時計手段１５は時刻を計時し、制御部１６に対し、その時刻情報を出力するものである。
【００２７】
制御部１６は例えばＣＰＵ等からなる。また、必要に応じて、制御部１６は、時計手段１５を内蔵しても良い。ＲＯＭ１７はリードオンリーメモリであり、制御部１６の制御プログラムを記憶しており、制御部１６に接続されている。また、ＲＯＭ１７は、時計データ（後述）も記憶している。
【００２８】
Ｉ／Ｏポート１１は制御部１６に接続され、カード制御回路１０に接続され、リモコン制御回路１３に接続されている。フォントメモリ１８は、各文字のコードデータに対応するフォントデータを記憶しており、制御部１６に接続されている。また、フォントメモリ１８は、コードデータを持たないフォントデータも記憶している。
【００２９】
ＲＡＭ１９はランダムアクセスメモリであり、制御部１６に接続されている。また、ＲＡＭ１９は、データを加工するためのワークエリアを有している。制御回路２０はゲートアレイ等からなり、制御部１６に接続され、表示手段２にも接続されている。制御回路２０は表示手段２に対して、クロック信号ＣＫと、ラッチ信号ＬＴと、データ信号ｄと、走査信号Ｓを出力する。
【００３０】
これらのＩ／Ｏポート１１と、制御部１６と、ＲＯＭ１７と、フォントロム１８と、ＲＡＭ１９と、制御回路２０等により、制御手段２１が構成されている。これらの制御手段２１と、表示手段２と、時計手段１５と、入力手段１４などにより、表示装置１は構成されている。
【００３１】
次に、主に図１ないし図３に従い、表示装置１における、メッセージ表示を説明する。例えば、ユーザがリモコン１２の表示部において、１を押し、０を押したとする。この時「メッセージ表示モード」が選択される。
【００３２】
リモコン１２は、リモコン制御回路１３とＩ／Ｏポート１１を介して、制御部１６に対し、所定の入力信号ａを出力する。この時、制御部１６は、入力信号ａに従って、フォントロム１８から、所定のフォントデータの組み合わせ（即ち、メッセージ情報）を取り込む。
【００３３】
制御部１６は上記メッセージ情報に従って、ＲＡＭ１９のワークエリアにおいて、データ信号ｄ１を作成し、制御回路２０に対し、データ信号ｄ１を出力する。その後、制御回路２０は表示手段２に対し、上記データ信号ｄ１と、クロック信号ＣＫと、ラッチ信号ＬＴと、走査信号Ｓ等を出力する。
【００３４】
その結果、表示手段２はメッセージ表示のみの表示、例えば「只今の時刻」（図３では、「只今の」を図示）を表示させる。即ち、表示手段２において、「只今の時刻」がランニング表示される。
【００３５】
この様に、リモコン１２に所定の入力（１と０）が選択的になされると、リモコン１２は制御手段２１に対し、入力信号ａを出力する。これにより、制御手段２１は表示手段２に対し、メッセージ表示のみの表示を行わせる。
【００３６】
次に、主に図１と図４に従い、表示装置１における、アナログ時計表示を説明する。例えば、ユーザがリモコン１２の表示部において、２を押し、０を押したとする。この時「アナログ時計表示モード」が選択される。
【００３７】
リモコン１２は、リモコン制御回路１３とＩ／Ｏポート１１を介して、制御部１６に対し、所定の入力信号ｂを出力する。この時、制御部１６は、入力信号ｂに従って、時計手段１５から入力された時刻情報（例えば、１０時１０分）を取り込む。その後、制御部１６はロム１７から、例えば「１０」を示す短針データと、「１０」を示す長針データとを取り込む。この短針データと、長針データとをまとめて「時計データ」（前述した）と呼ぶ。短針データは、３０分置きの短針の表示データであり、合計２４個ある。即ち、「１０」時についても、短針データは２個ある。長針データは、１分置きの長針の表示データであり、合計６０個ある。
【００３８】
制御部１６は上記時刻情報に従って、ＲＡＭ１９のワークエリアにおいて、データ信号ｄ２を作成し、制御回路２０に対し、データ信号ｄ２を出力する。その後、制御回路２０は表示手段２に対し、上記データ信号ｄ２と、クロック信号ＣＫと、ラッチ信号ＬＴと、走査信号Ｓ等を出力する。その結果、表示手段２はアナログ時計表示の上半分のみの表示（図４を参照）を表示させる。
【００３９】
即ち、複数の表示体３，４，５は直線Ｘ１−Ｘ２上に、複数個が配置されている。そして、制御手段２１は表示手段２に対し、直線Ｘ１−Ｘ２と直交する方向（Ｙ１方向）に沿って、アナログ時計表示がスクロール表示する様に、制御する。その結果、観察者は、アナログ時計表示につき、あたかも全体（図５を参照）を見ることができる
この様に、リモコン１２に所定の入力（２と０）が選択的になされると、リモコン１２は制御手段２１に対し、入力信号ｂを出力する。これにより、制御手段２１は表示手段２に対し、アナログ時計表示のみの表示（図４を参照）を行わせる。
【００４０】
次に、主に図１ないし図４に従い、表示装置１における、交互表示を説明する。例えばユーザがリモコン１２の表示部において、３を押し、０を押したとする。この時「交互表示モード」が選択される。
【００４１】
リモコン１２は、リモコン制御回路１３とＩ／Ｏポート１１を介して、制御部１６に対し、所定の入力信号ｃを出力する。この時、制御部１６は、入力信号ｃに従って、フォントロム１８から、メッセージ情報（前述した通り）を取り込む。また制御部１６は、入力信号ｃに従って、時刻情報（前述した通り）を取り込む。
【００４２】
制御部１６は上記メッセージ情報に従って、ＲＡＭ１９のワークエリアにおいて、データ信号ｄ１を作成する。また制御部１６は、上記時刻情報に従って、ＲＡＭ１９において、データ信号ｄ２を作成する。
【００４３】
制御部１６は制御回路２０に対し、第１所定時間（例えば１分間）にデータ信号ｄ１を出力させる。その後、制御部１６は制御回路２０に対し、第２所定時間（例えば３分間）にデータ信号ｄ２を出力させる。その後、再び、データ信号ｄ１が出力される。
【００４４】
即ち、制御手段２１は表示手段２に対し、メッセージ表示（図３を参照）と、アナログ時計表示（図４を参照）の交互表示を行わせる。また望ましくは、上記交互表示は、メッセージ表示と、それに続くアナログ時計表示とのランニング表示にて構成されている。この様に、制御手段２１は同一の表示手段２に対して、メッセージ表示およびアナログ時計表示を行わせる。
【００４５】
次に、図１と図５に従い、本発明を実施するための最良の形態２に係る表示装置２２を説明する。図５は、この表示装置２２に用いられる表示手段２３の平面図である。これらの図において、表示体３を構成する回路基板上には、１６個の行電極と、１６個の列電極（いずれも図示せず）が、形成されている。各発光素子（例えば、赤色の発光ダイオードであるが、図示せず）のアノードは、Ｎ列目（Ｎ＝１〜１６）の列電極に接続されている。各発光素子のカソードはＭ行目（Ｍ＝１〜１６）の行電極に接続されている。この様にして、１６×１６＝２５６個の発光素子は、マトリクス状に配列されている。
【００４６】
１６個の行電極は例えば、１個の定電流ドライバ（ＩＣ等からなるが、図示せず）の各出力端子に接続されている。定電流ドライバの入力側には、クロック信号ＣＫと、ラッチ信号ＬＴと、データ信号ｄ３等が入力される。
【００４７】
１６個の列電極は例えば、１個の点灯制御ドライバ（ＩＣ等からなるが、図示せず）の各出力端子に接続されている。点灯制御ドライバの入力側には、スキャン（走査）信号Ｓが入力される。この点灯制御ドライバは、１列目の列電極から１６列目の列電極までを、順次、走査する様に、構成されている。
【００４８】
定電流ドライバに、データ信号ｄ３（シリアルデータ）が入力されると、定電流ドライバは、１行目の行電極から１６行目の行電極に対し、パラレルにデータを出力する。上記構成により、シリアルデータに従って、２５６個の発光素子はオンとオフすることにより、所定の表示を行う。上記定電流ドライバと、上記点灯制御ドライバとにより、ドライバＤ１（図示していないが、図１のものと同じ）は構成されている。
【００４９】
表示体４は表示体３と同一の構成であり、表示体３の左側に近接して配置されている。表示体５は表示体３と同一の構成であり、表示体４の左側に近接して配置されている。この様にして、表示体３，４，５は一直線状に配置されている。複数の表示体３，４，５が列方向Ｘ１−Ｘ２に配置されたものが表示列群２４である。
【００５０】
ドライバＤ２，Ｄ３（共に図示せず）は共に、ドライバＤ１と同一の構成である。各ドライバＤ２，Ｄ３は、各表示体４，５を駆動する様に設けられている。
【００５１】
表示体６を構成する回路基板上には、１６個の行電極と、１６個の列電極（いずれも図示せず）が、形成されている。各発光素子（例えば、赤色の発光ダイオードであるが、図示せず）のアノードは、Ｎ列目（Ｎ＝１〜１６）の列電極に接続されている。各発光素子のカソードはＭ行目（Ｍ＝１〜１６）の行電極に接続されている。この様にして、１６×１６＝２５６個の発光素子は、マトリクス状に配列されている。
【００５２】
１６個の行電極は例えば、１個の定電流ドライバ（ＩＣ等からなるが、図示せず）の各出力端子に接続されている。定電流ドライバの入力側には、クロック信号ＣＫと、ラッチ信号ＬＴと、データ信号ｄ４等が入力される。
【００５３】
１６個の列電極は例えば、１個の点灯制御ドライバ（ＩＣ等からなるが、図示せず）の各出力端子に接続されている。点灯制御ドライバの入力側には、スキャン（走査）信号Ｓが入力される。この点灯制御ドライバは、１列目の列電極から１６列目の列電極までを、順次、走査する様に、構成されている。
【００５４】
定電流ドライバに、データ信号ｄ４（シリアルデータ）が入力されると、定電流ドライバは、１行目の行電極から１６行目の行電極に対し、パラレルにデータを出力する。上記構成により、シリアルデータに従って、２５６個の発光素子はオンとオフすることにより、所定の表示を行う。上記定電流ドライバと、上記点灯制御ドライバとにより、ドライバＤ４（図示していないが、ドライバＤ１と同じ）は構成されている。
【００５５】
表示体７は表示体６と同一の構成であり、表示体６の左側に近接して配置されている。表示体８は表示体６と同一の構成であり、表示体７の左側に近接して配置されている。この様にして、表示体６，７，８は一直線状に配置されている。複数の表示体６，７，８が列方向Ｘ１−Ｘ２に配置されたものが表示列群２５である。
【００５６】
ドライバＤ５，Ｄ６（共に図示せず）は共に、ドライバＤ４と同一の構成である。各ドライバＤ４，Ｄ５は、各表示体７，８を駆動する様に設けられている。表示手段２３は、これらの複数の表示列群２４，２５が行方向Ｙ１−Ｙ２に配置されたものと、ドライバＤ１，Ｄ２，Ｄ３，Ｄ４，Ｄ５，Ｄ６等から構成されている。表示装置２２において、入力手段１４と、時計手段１５と、制御手段２１は、図１のものと同じである。
【００５７】
次に、主に図１と図５に従い、表示装置２２おける、アナログ時計表示を説明する。例えば、ユーザがリモコン１２の表示部において、２を押し、０を押したとする。この時「アナログ時計表示モード」が選択される。
【００５８】
リモコン１２は、リモコン制御回路１３とＩ／Ｏポート１１を介して、制御部１６に対し、所定の入力信号ｂを出力する。この時、制御部１６は、入力信号ｂに従って、時計手段１５から入力された時刻情報（例えば、１０時１０分）を取り込む。その後、制御部１６はロム１７から、例えば「１０」を示す短針データと、「１０」を示す長針データとを取り込む。この短針データと、長針データとをまとめて「時計データ」（前述した）と呼ぶ。短針データは、３０分置きの短針の表示データであり、合計２４個ある。即ち、「１０」時についても、短針データは２個ある。長針データは、１分置きの長針の表示データであり、合計６０個ある。
【００５９】
制御部１６は上記時刻情報に従って、ＲＡＭ１９のワークエリアにおいて、データ信号ｄ３とｄ４を作成し、制御回路２０に対し、データ信号ｄ３、ｄ４を出力する。その後、制御回路２０は表示列群２４を駆動するドライバーＤ１，Ｄ２，Ｄ３に対し、上記データ信号ｄ３と、クロック信号ＣＫと、ラッチ信号ＬＴと、走査信号Ｓ等を出力する。その結果、表示手段２３はアナログ時計表示の上半分のみの表示（図５を参照）を表示させる。
【００６０】
上記動作と同時に、制御回路２０は表示列群２５を駆動するドライバーＤ４，Ｄ５，Ｄ６に対し、上記データ信号ｄ４と、クロック信号ＣＫと、ラッチ信号ＬＴと、走査信号Ｓ等を出力する。その結果、表示手段２３アナログ時計表示の下半分のみの表示（図５を参照）を表示させる。この様にして、アナログ時計表示（図５を参照）は、複数の表示列群２４，２５において、全体的に表示される。
【００６１】
なお、メッセージ表示又は、メッセージ表示とアナログ時計表示との交互表示又は、メッセージ表示とアナログ時計表示のランニング表示は、表示装置１の動作と同じである。
【図面の簡単な説明】
【００６２】
【図１】本発明を実施する最良の形態１に係る表示装置１のブロック図である。
【図２】この表示装置１の表示手段２の平面図である。
【図３】この表示手段２における、メッセージ表示の１例である。
【図４】この表示手段２における、アナログ時計表示の１例である。
【図５】本発明を実施する最良の形態に係る表示装置２２に用いられる表示手段２３における、アナログ時計表示の１例である。
【符号の説明】
【００６３】
２  表示手段
１４  入力手段
１５  時計手段
２１  制御手段
【図１】
2005062110.tif 000003
【図２】
2005062110.tif 000004
【図３】
2005062110.tif 000005
【図４】
2005062110.tif 000006
【図５】
2005062110.tif 000007